(57)【要約】【課題】  建築物の設計に精通していない者であっても容易かつ短時間に意匠データを入力可能にする。【解決手段】  意匠データ入力装置は、図面読み込み手段１１、読み込んだ図面を表示する図面表示手段１２、表示図面上の位置指定により建築物外周線を入力する外周線入力手段１３、表示図面上の位置指定により部屋分割線を入力する部屋分割線入力手段１４、間取り寸法と関連付けて部屋要素を記憶する部屋要素記憶手段１５、各領域の間取り寸法に応じて部屋要素記憶手段１５から抽出された部屋要素候補の中から各領域に部屋要素を割り当てる部屋要素割り当て手段１６、各領域の開口部を表示図面上の位置指定により入力する開口部入力手段１７、部屋要素と関連付けて開口要素を記憶する開口要素記憶手段１８、各領域に割り当てられた部屋要素に応じて開口要素記憶手段１８から抽出された開口要素候補の中から開口要素を割り当てる開口要素割り当て手段１９を有する。【選択図】  図２
2005157839.tif 000002
【特許請求の範囲】
【請求項１】
図面を読み込む手段と、
この読み込んだ図面を表示する手段と、
前記表示された図面上の位置を指定することにより建築物の外周線を入力する手段と、
前記表示された図面上の位置を指定することにより前記外周線で囲まれた領域内に部屋分割線を入力する手段と、
間取り寸法と関連付けて部屋要素を記憶する部屋要素記憶手段と、
前記外周線および部屋分割線により囲まれた各領域の間取り寸法に応じて前記部屋要素記憶手段から抽出された部屋要素の候補の中から選択することにより前記各領域にそれぞれ部屋要素を割り当てる手段と、
前記外周線および部屋分割線により囲まれた各領域の開口部を前記表示された図面上の位置を指定することにより入力する手段と、
前記部屋要素と関連付けて開口要素を記憶する開口要素記憶手段と、
前記各領域に割り当てられた部屋要素に応じて前記開口要素記憶手段から抽出された開口要素の候補の中から選択することにより前記各領域の開口部にそれぞれ開口要素を割り当てる手段と
を有する意匠データ入力装置。
【請求項２】
前記表示された図面上の位置を指定することにより通し柱の位置を入力する手段を有する請求項１記載の意匠データ入力装置。
【請求項３】
図面を読み込むステップと、
この読み込んだ図面を表示するステップと、
前記表示された図面上の位置を指定することにより建築物の外周線を入力するステップと、
前記表示された図面上の位置を指定することにより前記外周線で囲まれた領域内に部屋分割線を入力するステップと、
前記外周線および部屋分割線により囲まれた各領域の間取り寸法に応じて間取り寸法と関連付けて部屋要素を記憶する部屋要素記憶手段から抽出された部屋要素の候補の中から選択することにより前記各領域にそれぞれ部屋要素を割り当てるステップと、
前記外周線および部屋分割線により囲まれた各領域の開口部を前記表示された図面上の位置を指定することにより入力するステップと、
前記各領域に割り当てられた部屋要素に応じて前記部屋要素と関連付けて開口要素を記憶する開口要素記憶手段から抽出された開口要素の候補の中から選択することにより前記各領域の開口部にそれぞれ開口要素を割り当てるステップと
を含む意匠データ入力方法。
【請求項４】
前記表示された図面上の位置を指定することにより通し柱の位置を入力するステップを含む請求項３記載の意匠データ入力方法。
【請求項５】
コンピュータを、
図面を読み込む手段と、
この読み込んだ図面を表示する手段と、
前記表示された図面上の位置を指定することにより建築物の外周線を入力する手段と、
前記表示された図面上の位置を指定することにより前記外周線で囲まれた領域内に部屋分割線を入力する手段と、
間取り寸法と関連付けて部屋要素を記憶する部屋要素記憶手段と、
前記外周線および部屋分割線により囲まれた各領域の間取り寸法に応じて前記部屋要素記憶手段から抽出された部屋要素の候補の中から選択することにより前記各領域にそれぞれ部屋要素を割り当てる手段と、
前記外周線および部屋分割線により囲まれた各領域の開口部を前記表示された図面上の位置を指定することにより入力する手段と、
前記部屋要素と関連付けて開口要素を記憶する開口要素記憶手段と、
前記各領域に割り当てられた部屋要素に応じて前記開口要素記憶手段から抽出された開口要素の候補の中から選択することにより前記各領域の開口部にそれぞれ開口要素を割り当てる手段
として機能させるための意匠データ入力プログラム。
【請求項６】
前記コンピュータを、さらに前記表示された図面上の位置を指定することにより通し柱の位置を入力する手段として機能させるための請求項５記載の意匠データ入力プログラム。
【請求項７】
請求項５または６に記載の意匠データ入力プログラムを記録したコンピュータ読み取り可能な記録媒体。
【発明の詳細な説明】
【技術分野】
【０００１】
本発明は、建築物の図面から各意匠データを入力するための意匠データ入力装置、意匠データ入力方法および意匠データ入力プログラム並びにこれを記録したコンピュータ読み取り可能な記録媒体に関する。
【背景技術】
【０００２】
本発明者は、非特許文献１に記載のように、地域の中小の工務店向けに建築データの一元管理を支援するシステムを開発している。この戦略情報ネットワークＣＡＤ（Computer aided design）システムによれば、意匠、構造、積算の各データを相互に連動させ、無駄な作業を排除して合理化を図ることができる。例えば、間取り寸法や部屋割り等の意匠データを入力することで、この意匠データを元に、自動的に見積計算を行ったり、材料のプレカットを行ったりすることが可能となっている。
【０００３】
ところで、従来このような意匠データを入力する場合、工務店等から受け取った間取図（平面図）などの図面を見ながらＣＡＤ装置へ手入力したり、図面をイメージスキャナにより画像データとして入力し、その画像データをＣＡＤ装置の画面に表示した後、操作者が画面上の画像データを見ながら、ポインティングデバイス等を用いて手入力によりトレースして入力したりしている（例えば、特許文献１〜３を参照。）。
【０００４】
【特許文献１】特開昭６２−２６９２７６号公報（第２頁第２欄第５−９行）
【特許文献２】特開平１−１９４０７５号公報（第１頁右下欄）
【特許文献３】特開平１１−２５０２６８号公報（段落０００２−０００４）
【非特許文献１】“戦略情報ネットワークＣＡＤシステム”，［online］，平成１５年４月１９日更新，ネットイーグル株式会社，［平成１５年１１月１７日検索］，インターネット＜ＵＲＬ：http://www.neteagle.co.jp/＞
【発明の開示】
【発明が解決しようとする課題】
【０００５】
ところが、上記従来の入力方法では、イメージスキャナにより入力した図面上の線をその端点部分等の指示により１本ずつトレースして意匠データを入力していくものであるため、イメージスキャナにより入力した図面を用いないものに比べて作業工程自体が簡略化されているわけではない。すなわち、従来方法では、イメージスキャナにより入力した図面を単に下図として用いているだけであるため、意匠データを入力する手間はほとんど変わらない。
【０００６】
また、工務店等から受け取った間取図などの図面が粗雑で見難い場合、図面上の線を１本ずつ間違いなく入力していくことは非常に難しく、建築物の設計に精通している者でなければ作業することができないという問題がある。
【０００７】
そこで、本発明においては、建築物の設計に精通していない者であっても容易かつ短時間に意匠データを入力することが可能な意匠データ入力装置、意匠データ入力方法および意匠データ入力プログラム並びにこれを記録したコンピュータ読み取り可能な記録媒体を提供することを目的とする。
【課題を解決するための手段】
【０００８】
本発明の意匠データ入力装置は、図面を読み込む手段と、この読み込んだ図面を表示する手段と、表示された図面上の位置を指定することにより建築物の外周線を入力する手段と、表示された図面上の位置を指定することにより外周線で囲まれた領域内に部屋分割線を入力する手段と、間取り寸法と関連付けて部屋要素を記憶する部屋要素記憶手段と、外周線および部屋分割線により囲まれた各領域の間取り寸法に応じて部屋要素記憶手段から抽出された部屋要素の候補の中から選択することにより各領域にそれぞれ部屋要素を割り当てる手段と、外周線および部屋分割線により囲まれた各領域の開口部を前記表示された図面上の位置を指定することにより入力する手段と、部屋要素と関連付けて開口要素を記憶する開口要素記憶手段と、各領域に割り当てられた部屋要素に応じて開口要素記憶手段から抽出された開口要素の候補の中から選択することにより各領域の開口部にそれぞれ開口要素を割り当てる手段とを有することを特徴とする。
【０００９】
また、本発明の意匠データ入力方法は、図面を読み込むステップと、この読み込んだ図面を表示するステップと、表示された図面上の位置を指定することにより建築物の外周線を入力するステップと、表示された図面上の位置を指定することにより外周線で囲まれた領域内に部屋分割線を入力するステップと、外周線および部屋分割線により囲まれた各領域の間取り寸法に応じて間取り寸法と関連付けて部屋要素を記憶する部屋要素記憶手段から抽出された部屋要素の候補の中から選択することにより各領域にそれぞれ部屋要素を割り当てるステップと、外周線および部屋分割線により囲まれた各領域の開口部を表示された図面上の位置を指定することにより入力するステップと、各領域に割り当てられた部屋要素に応じて部屋要素と関連付けて開口要素を記憶する開口要素記憶手段から抽出された開口要素の候補の中から選択することにより各領域の開口部にそれぞれ開口要素を割り当てるステップとを含むことを特徴とする。
【００１０】
上記本発明の意匠データ入力装置および意匠データ入力方法によれば、工務店等から受け取った間取図などの図面を読み込むと、この読み込んだ図面が表示され、この表示された図面上の位置を指定することにより、建築物の外周線とこの外周線で囲まれた領域内に部屋分割線とを入力することができる。これにより、外周線および部屋分割線により囲まれた各領域によって意匠データの一部である間取り寸法を容易に確定することができる。また、この外周線および部屋分割線により囲まれた各領域の間取り寸法に応じて各領域に適用可能な部屋要素の候補が自動的に抽出されるため、この抽出された部屋要素の候補の中から適用する部屋要素を選択するだけで、各領域にそれぞれ意匠データの一部である部屋要素を容易に割り当てて確定することができる。また、この外周線および部屋分割線により囲まれた各領域の開口部を、表示された図面上の位置を指定すると、さらに、各領域に割り当てられた部屋要素に応じて各開口部に適用可能な開口要素の候補が自動的に抽出されるため、この抽出された開口要素の候補の中から適用する開口要素を選択することにより、各領域の開口部にそれぞれ意匠データの一部である開口要素を容易に割り当てて確定することができる。
【００１１】
ここで、さらに本発明の意匠データ入力装置が、表示された図面上の位置を指定することにより通し柱の位置を入力する手段を有するものであれば、表示された図面上の位置を指定することにより、通し柱の位置を容易に入力することができる。これにより、意匠データの一部である通し柱の位置を確定することができる。本発明の意匠データ入力方法が、表示された図面上の位置を指定することにより通し柱の位置を入力するステップを含む場合も同様の作用が得られる。
【００１２】
また、上記本発明の意匠データ入力装置は、コンピュータを、図面を読み込む手段と、この読み込んだ図面を表示する手段と、表示された図面上の位置を指定することにより建築物の外周線を入力する手段と、表示された図面上の位置を指定することにより外周線で囲まれた領域内に部屋分割線を入力する手段と、間取り寸法と関連付けて部屋要素を記憶する部屋要素記憶手段と、外周線および部屋分割線により囲まれた各領域の間取り寸法に応じて部屋要素記憶手段から抽出された部屋要素の候補の中から選択することにより各領域にそれぞれ部屋要素を割り当てる手段と、外周線および部屋分割線により囲まれた各領域の開口部を表示された図面上の位置を指定することにより入力する手段と、部屋要素と関連付けて開口要素を記憶する開口要素記憶手段と、各領域に割り当てられた部屋要素に応じて開口要素記憶手段から抽出された開口要素の候補の中から選択することにより各領域の開口部にそれぞれ開口要素を割り当てる手段として機能させるための意匠データ入力プログラムの実行により実現することも可能である。さらにこのコンピュータを、表示された図面上の位置を指定することにより通し柱の位置を入力する手段として機能させるための意匠データ入力プログラムとすることも可能である。
【００１３】
また、上記本発明の意匠データ入力プログラムは、この意匠データ入力プログラムを記録したコンピュータ読み取り可能な記録媒体によってコンピュータへ提供し、実行することが可能である。
【発明の効果】
【００１４】
（１）図面を読み込み、この読み込んだ図面を表示し、表示された図面上の位置を指定することにより建築物の外周線を入力し、表示された図面上の位置を指定することにより外周線で囲まれた領域内に部屋分割線を入力し、外周線および部屋分割線により囲まれた各領域の間取り寸法に応じて間取り寸法と関連付けて部屋要素を記憶する部屋要素記憶手段から抽出された部屋要素の候補の中から選択することにより各領域にそれぞれ部屋要素を割り当て、外周線および部屋分割線により囲まれた各領域の開口部を表示された図面上の位置を指定することにより入力し、各領域に割り当てられた部屋要素に応じて部屋要素と関連付けて開口要素を記憶する開口要素記憶手段から抽出された開口要素の候補の中から選択することにより各領域の開口部にそれぞれ開口要素を割り当てる構成により、外周線および部屋分割線により囲まれた各領域によって意匠データの一部である間取り寸法を容易に確定し、さらに各領域にそれぞれ意匠データの一部である部屋要素を容易に割り当てて確定するとともに、各領域の開口部にそれぞれ意匠データの一部である開口要素を容易に割り当てて確定することができる。これにより、建築物の設計に精通していない者であっても、容易かつ短時間に意匠データを入力することが可能となり、この入力された意匠データに基づいて自動的に見積計算を行ったり、材料のプレカットを行ったりすることができる。
【００１５】
（２）表示された図面上の位置を指定することにより通し柱の位置を入力する構成により、表示された図面上の位置を指定することにより、意匠データの一部である通し柱の位置を容易に確定することができるため、さらに通し柱を含む意匠データに基づいて自動的に見積計算を行ったり、材料のプレカットを行ったりすることができる。
【発明を実施するための最良の形態】
【００１６】
図１は本発明の実施の形態における意匠データ入力システム全体の概略構成図、図２は図１の意匠データ入力装置の機能ブロック図である。
【００１７】
図１において、本実施形態における意匠データ入力システムは、意匠データ入力装置としてのコンピュータ（以下、「ＰＣ」と称す。）１と、表示装置としてのディスプレイ２と、文字や数値等を入力する入力装置としてのキーボード３と、ディスプレイ２の画面上の位置を指示するための位置指示装置としてのポインティングデバイス（以下、「ＰＤ」と称す。）４と、図面Ｄの画像を読み取ってＰＣ１へ取り込む画像読み取り装置としてのスキャナ５とを備える。
【００１８】
ＰＣ１は、図２に示すように、図面読み込み手段１１、図面表示手段１２、外周線入力手段１３、部屋分割線入力手段１４、部屋要素記憶手段１５、部屋要素割り当て手段１６、開口部入力手段１７、開口要素記憶手段１８、開口要素割り当て手段１９および通し柱入力手段２０とを有する。ＰＣ１は、ＣＤ−ＲＯＭやＤＶＤ−ＲＯＭ等のコンピュータ読み取り可能な記録媒体６に記録された意匠データ入力プログラムを読み込み、実行することにより上記各手段１１〜２０として機能する。
【００１９】
図面読み込み手段１１は、スキャナ５によって図面Ｄの画像を読み取り、図面データとしてＰＣ１へ取り込むものである。図面表示手段１２は、この図面読み込み手段１１によって読み込んだ図面データに基づき、縮尺（スケール）や位置等を調整してディスプレイ２の画面上に表示するものである。
【００２０】
外周線入力手段１３は、図面表示手段１２によってディスプレイ２の画面上に表示された図面上の位置をＰＤ４によって指定することにより、図面Ｄに記された建築物の外周を構成する線（外周線）を入力するものである。例えば、操作者がＰＤ４によって建築物の外周の複数の点を指定すると、外周線入力手段１３によりこれらの指定された点を順番に結んだ線が外周線としてＰＣ１へ入力される。入力された外周線は、ディスプレイ２の画面上に表示される。
【００２１】
部屋分割線入力手段１４は、図面表示手段１２によってディスプレイ２の画面上に表示された図面上の位置をＰＤ４によって指定することにより、外周線入力手段１３により入力された外周線で囲まれた領域内に、この外周線で囲まれた領域を各部屋に分割する線（部屋分割線）を入力するものである。例えば、操作者がＰＤ４によって外周線で囲まれた領域内の複数の点を指定すると、部屋分割線入力手段１４によりこれらの指定された点を順番に結んだ線が部屋分割線としてＰＣ１へ入力される。入力された部屋分割線は、ディスプレイ２の画面上に表示される。
【００２２】
上記外周線入力手段１３および部屋分割線入力手段１４によりそれぞれ外周線および部屋分割線が入力されることにより、これらの外周線および部屋分割線により囲まれた各領域の間取り寸法が確定される。なお、外周線入力手段１３および部屋分割線入力手段１４は、それぞれ新規に外周線および部屋分割線を入力することができるほか、既に入力された外周線および部屋分割線を編集することも可能である。
【００２３】
部屋要素記憶手段１５は、間取り寸法と関連付けて部屋要素を記憶するものである。図３は部屋要素記憶手段１５に記憶される部屋要素の例を示す図、図４は図３の各部屋要素の属性設定を示す図である。図３に示すように、部屋要素記憶手段１５には、各部屋要素の名称（部屋マスター名称）３０に基づいて各部屋要素が管理されている。図４に示すように、各部屋要素には、それぞれの属性として部屋タイプ３１、部屋区分３２、区分け３３、床厚３４、床高３５、天井高３６、部屋Ｗ３７ａ、部屋Ｈ３７ｂ、壁タイプ３８、用途３９等が関連付けられている。部屋Ｗ３７ａおよび部屋Ｈ３７ｂは、各部屋要素を適用可能な部屋の間取り寸法（横幅（Width）寸法および縦幅（Ｈeight）寸法）を示している。なお、本実施形態においては、部屋Ｗ３７ａおよび部屋Ｈ３７ｂは、モジュール（間取り寸法の基本間隔）単位で設定されているが、これ以外の単位を基準として設定することも可能である。
【００２４】
部屋要素割り当て手段１６は、外周線入力手段１３および部屋分割線入力手段１４によりそれぞれ入力された外周線および部屋分割線により囲まれた各領域の間取り寸法に応じて部屋要素記憶手段１５から抽出された部屋要素の候補の中から選択することにより各領域にそれぞれ部屋要素を割り当てるものである。本実施形態においては、部屋要素割り当て手段１６は、外周線および部屋分割線により囲まれた各領域の中からＰＤ４により指定された領域に対して適用可能な部屋要素の候補を、その間取り寸法に応じて部屋要素記憶手段１５から自動的に抽出し、部屋リストとして一覧表示する。例えば、部屋要素割り当て手段１６は、外周線入力手段１３および部屋分割線入力手段１４によりそれぞれ入力された外周線および部屋分割線により囲まれた各領域を内包する矩形をその間取り寸法として部屋要素の候補を抽出する。そして、一覧表示された部屋リストの中から操作者によってキーボード３またはＰＤ４により部屋要素の選択がなされると、部屋要素割り当て手段１６は、この選択された部屋要素をその指定された領域に割り当てる。割り当てられた部屋要素の名称は、ディスプレイ２の画面上のそれぞれ割り当てられた領域上に表示される。
【００２５】
開口部入力手段１７は、外周線入力手段１３および部屋分割線入力手段１４によりそれぞれ入力された外周線および部屋分割線により囲まれた各領域の開口部を、図面表示手段１２によってディスプレイ２の画面上に表示された図面上の位置をＰＤ４によって指定することにより入力するものである。開口部とは、各部屋要素同士間の部屋分割線部分や各部屋要素の外周線部分の戸、扉や窓等の開口要素を設置する部分である。
【００２６】
開口要素記憶手段１８は、部屋要素と関連付けて開口要素を記憶するものである。図５は開口要素記憶手段１８に記憶される開口要素の例を示す図である。図５に示す例では、リビング（大壁）とクローゼット（大壁）との２部屋要素４０，４１間に適用可能な開口要素４２が関連付けて記憶されている。同様に、２部屋要素間に適用可能な開口要素については、その２部屋要素に関連付けて記憶され、１部屋要素に適用可能な開口要素については、その１部屋要素に関連付けて記憶される。
【００２７】
開口要素割り当て手段１９は、各領域に割り当てられた部屋要素に応じて開口要素記憶手段から抽出された開口要素の候補の中から選択することにより、開口部入力手段１８により入力される各領域の開口部にそれぞれ開口要素を割り当てるものである。本実施形態においては、開口要素割り当て手段１９は、開口部入力手段１８により入力される各開口部に対して適用可能な開口要素の候補を、その開口部が形成される部屋要素に応じて開口要素記憶手段１８から自動的に抽出し、開口リストとして一覧表示する。そして、一覧表示された開口リストの中から操作者によってキーボード３またはＰＤ４により開口要素の選択がなされると、開口要素割り当て手段１９は、この選択された開口要素を開口部入力手段１８により入力される開口部に割り当てる。
【００２８】
通し柱入力手段２０は、図面表示手段１２によってディスプレイ２の画面上に表示された図面上の位置をＰＤ４によって指定することにより、通し柱の位置を入力するものである。
【００２９】
なお、本実施形態において意匠データとは、建築物を建築する要素に関する形状、配置（位置）、寸法等のデータをいう。建築物を建築する要素とは、例えば、（１）間取り（部屋割り）、（２）外壁（装飾壁含む）、間仕切り壁、（３）開口（サッシ（玄関ドア、窓など）、内部建具（ドア、襖など））、（４）屋根、（５）設備（キッチン、バスユニットなど）、（６）内部造作（巾木、廻縁、手摺など）などである。
【００３０】
上記構成の意匠データ入力システムによる意匠データ入力について、以下、図６のフロー図に従って説明する。
【００３１】
Ｓ１０１：工務店等から受け取った間取図（平面図）等の図面Ｄをスキャナ５により取り込む。図７は図面Ｄの取り込み状況を示す図である。ここでは、取り込んだ図面の向き調整、シャープネス（画質）、角度調整などの設定を行うことができる。スキャナ５によって読み取られた図面Ｄの画像は、図面データとして図面読み込み手段１１によりＰＣ１へ取り込まれる。
【００３２】
Ｓ１０２：読み込まれた間取図は図面表示手段１２によってディスプレイ２の画面上に表示される。図８はディスプレイ２の画面上に表示された図面データの例を示している。図示例では、取り込んだ間取図が、背景画像としてＰＣ１の操作画面に表示されている。また、ここでは、取り込んだ間取図のスケール調整と位置調整を行うことが可能である（図９参照。）。図１０に示すように、取り込んだ間取図の２基準点５０，５１をＰＤ４により指定すると、これらの基準点５０，５１に合わせてスケールと位置が調整され、取り込んだ間取図がグリッド上に配置される。図１１は調整後の図面データの例を示している。
【００３３】
Ｓ１０３：外周線入力手段１３および部屋分割線入力手段１４によりそれぞれ外周線および部屋分割線を入力し、部屋領域を確定する。図１２は外周線入力の様子を、図１３は部屋分割線入力の様子をそれぞれ示している。図１２に示すように、操作者がＰＤ４により建築物の外周の複数の点を指定すると、外周線入力手段１３によりこれらの指定された点を順番に結んだ線が外周線としてＰＣ１へ入力される。また、図１３に示すように、操作者がＰＤ４により部屋の間仕切りに沿って外周線で囲まれた領域内の複数の点を指定すると、部屋分割線入力手段１４によりこれらの指定された点を順番に結んだ線が部屋分割線としてＰＣ１へ入力される。このとき、グリッドに合わせて外周線および部屋分割線の各点を指定することも可能である。グリッドに合わない点については、後に外周線入力手段１３および部屋分割線入力手段１４により編集することも可能である。
【００３４】
Ｓ１０４：外周線入力手段１３および部屋分割線入力手段１４によりそれぞれ外周線および部屋分割線を編集し、間取り寸法を確定する。
【００３５】
Ｓ１０５：部屋要素割り当て手段１６により部屋要素の割り当てを行う。図１４は部屋要素割り当ての様子を示している。図１４に示すように、操作者が外周線および部屋分割線により囲まれた各領域の中からＰＤ４により部屋要素の割り当てを行う領域を指定すると、この指定された領域の間取り寸法に応じ、その領域に対して適用可能な部屋要素の候補が部屋リスト５２として一覧表示される。そのため、操作者は、何千から何万にも及ぶ多くの部屋要素の項目の中から該当する項目を探す必要はなく、適用可能な限られた部屋要素の中から選択するだけでよい。部屋要素割り当て手段１６は、操作者によって選択された部屋要素をその指定された領域に割り当てる。割り当てられた部屋要素の名称は、ディスプレイ２の画面上のそれぞれ割り当てられた領域上に表示される。図１５は部屋要素割り当て後に背景画像を消去した表示例を示している。
【００３６】
Ｓ１０６：開口部入力手段１７により開口部の入力を行う。図１６は開口部入力の様子を示している。図１６に示すように、操作者が開口部を形成する位置５３をＰＤ４によって指定すると、この指定された位置の部屋要素に応じて開口要素割り当て手段１９により自動的にその開口部に対して適用可能な開口要素の候補が開口リスト５４として一覧表示される。そのため、操作者は、何千から何万にも及ぶ多くの開口要素の項目の中から該当する項目を探す必要はなく、適用可能な限られた開口要素の中から選択するだけでよい。開口要素割り当て手段１９は、操作者によって選択された開口要素をその指定された開口部に割り当てる。こうして入力された開口部は、ディスプレイ２の画面上に色を変えて表示される。図１７は開口部入力後に背景画像を消去した表示例を示している。
【００３７】
Ｓ１０７：通し柱入力手段１８により通し柱の入力を行う。図１８は通し柱入力の様子を示している。図１８に示すように、操作者が通し柱を設ける位置をＰＤ４によって指定すると、この指定された位置に通し柱を示す記号５５が表示される。図１９は通し柱入力後に背景画像を消去した表示例を示している。
【００３８】
以上のように、本実施形態における意匠データ入力システムによれば、図面読み込み手段１１によって読み込んだ図面データに基づき、外周線入力手段１３および部屋分割線入力手段１４により外周線および部屋分割線を入力することにより、この入力した外周線および部屋分割線により囲まれた各領域によって意匠データの一部である間取り寸法を容易に確定することができる。さらに部屋要素割り当て手段１６により、これらの各領域にそれぞれ意匠データの一部である部屋要素を容易に割り当てて確定するとともに、開口部入力手段１７および開口要素割り当て手段１９により各領域の開口部にそれぞれ意匠データの一部である開口要素を容易に割り当てて確定することができる。
【００３９】
部屋要素および開口要素の割り当てについては、各領域の間取り寸法および部屋要素に基づいて何千から何万にも及ぶ多くの候補の中から適用可能なものが自動的に抽出された部屋リスト５２および開口リスト５４として一覧表示されるため、操作者は何千から何万にも及ぶ多くの開口要素の項目の中から該当する項目を探す必要はなく、適用可能な限られた開口要素の中から選択するだけでよい。これにより、建築物の設計に精通していない者であっても、容易かつ短時間に意匠データを入力することが可能となり、この入力された意匠データに基づいて自動的に見積計算を行ったり、材料のプレカットを行ったりすることができる。
【００４０】
また、本実施形態における意匠データ入力システムでは、通し柱入力手段２０により表示された図面上の位置を指定することで通し柱の位置を入力して、意匠データの一部である通し柱の位置を容易に確定することができるため、さらに通し柱を含む意匠データに基づいて自動的に見積計算を行ったり、材料のプレカットを行ったりすることができる。なお、意匠データに基づく見積計算や材料のプレカットについては公知であるため、ここでの説明を省略する。
【産業上の利用可能性】
【００４１】
本発明は、工務店等から受け取った建築物の間取図（平面図）などの図面から各意匠データを入力するための装置、方法およびプログラム並びにこれを記録したコンピュータ読み取り可能な記録媒体として有用である。特に、建築物の設計に精通していない者であっても容易かつ短時間に意匠データを入力することが可能な装置等として好適である。
【図面の簡単な説明】
【００４２】
【図１】本発明の実施の形態における意匠データ入力システム全体の概略構成図である。
【図２】図１の意匠データ入力装置の機能ブロック図である。
【図３】部屋要素記憶手段に記憶される部屋要素の例を示す図である。
【図４】図３の各部屋要素の属性設定を示す図である。
【図５】開口要素記憶手段に記憶される開口要素の例を示す図である。
【図６】本実施形態における意匠データ入力システムによる意匠データ入力手順を示すフロー図である。
【図７】図面の取り込み状況を示す図である。
【図８】ディスプレイの画面上に表示された図面データの例を示す図である。
【図９】取り込んだ間取図のスケール調整と位置調整を指示する例を示す図である。
【図１０】取り込んだ間取図の２基準点を指定する例を示す図である。
【図１１】調整後の図面データの例を示す図である。
【図１２】外周線入力の様子を示す図である。
【図１３】部屋分割線入力の様子を示す図である。
【図１４】部屋分割割り当ての様子を示す図である。
【図１５】部屋要素割り当て後に背景画像を消去した表示例を示す図である。
【図１６】開口部入力の様子を示す図である。
【図１７】開口部入力後に背景画像を消去した表示例を示す図である。
【図１８】通し柱入力の様子を示す図である。
【図１９】通し柱入力後に背景画像を消去した表示例を示す図である。
【符号の説明】
【００４３】
１  コンピュータ（ＰＣ）
２  ディスプレイ
３  キーボード
４  ポインティングデバイス（ＰＤ）
５  スキャナ
Ｄ  図面
１１  図面読み込み手段
１２  図面表示手段
１３  外周線入力手段
１４  部屋分割線入力手段
１５  部屋要素記憶手段
１６  部屋要素割り当て手段
１７  開口部入力手段
１８  開口要素記憶手段
１９  開口要素割り当て手段
２０  通し柱入力手段
【図１】
2005157839.tif 000003
【図２】
2005157839.tif 000004
【図６】
2005157839.tif 000005
【図３】
2005157839.tif 000006
【図４】
2005157839.tif 000007
【図５】
2005157839.tif 000008
【図７】
2005157839.tif 000009
【図８】
2005157839.tif 000010
【図９】
2005157839.tif 000011
【図１０】
2005157839.tif 000012
【図１１】
2005157839.tif 000013
【図１２】
2005157839.tif 000014
【図１３】
2005157839.tif 000015
【図１４】
2005157839.tif 000016
【図１５】
2005157839.tif 000017
【図１６】
2005157839.tif 000018
【図１７】
2005157839.tif 000019
【図１８】
2005157839.tif 000020
【図１９】
2005157839.tif 000021